(57)【特許請求の範囲】
【請求項１】
支持板に、壁面を拭き払うための帯状体を軸体で吊り下げてある清掃具であって、
前記支持板は、薄板状であると共に、トンネル等の壁面に固着する受け具へ挿嵌することでトンネル等の壁面に固定されるものであり、
前記受け具は、トンネル等の壁面に密着固定される矩形上の後壁と、該後壁よりも前方に配置される凹字状の前壁と、後壁と前壁の下端部同士を結ぶ底壁と、後壁と前壁の左右両端部同士を結ぶ側壁と、からなると共に、それら壁面に囲まれた内側面には、帯状体と軸体が露出した状態で前記支持板を挿嵌するための差し込み空間を有することを特徴とする、清掃具。
【発明の詳細な説明】
【技術分野】
【０００１】
本発明は、トンネル等の壁面に付着した煤や砂ほこり等の汚れを除去する清掃具に関するものである。
【背景技術】
【０００２】
従来、トンネル内を自動車が通過する際の風圧を利用して、トンネル内の壁面を清掃する清掃具としては、本願出願人と同一出願人により、後記特許文献のような清掃具が公開されている。
【０００３】
特許文献１では、トンネル内の壁面に固着する支持板に、壁面を拭き払うための帯状の紐を吊り下げた清掃具であって、吊り下げられた帯状の紐が、自動車が通過する際の風圧を利用して揺動又は回転することにより、壁面の汚れを落す構成の清掃具が公開されている。
【先行技術文献】
【特許文献】
【０００４】
【特許文献１】特許第５１４４５９８号公報
【発明の概要】
【発明が解決しようとする課題】
【０００５】
しかしながら、上述した清掃具は、本願発明者の長年の研究・実験の結果、効率良く汚れを落とす点に関しては問題ないが、取付け交換の際に手間がかかるという点で改善の余地があることが判明した。
【０００６】
本発明は上記実情を考慮したもので、その解決課題は、取付け交換が容易な、トンネル等の壁面を清掃する清掃具を提供することである。
【課題を解決するための手段】
【０００７】
前記の課題を解決するために本発明は、支持板に、壁面を拭き払うための帯状体を軸体で吊り下げてある清掃具であって、前記支持板は、薄板状であると共に、トンネル等の壁面に固着する受け具へ挿嵌することでトンネル等の壁面に固定されるものであり、前記受け具は、トンネル等の壁面に密着固定される矩形上の後壁と、該後壁よりも前方に配置される凹字状の前壁と、後壁と前壁の下端部同士を結ぶ底壁と、後壁と前壁の左右両端部同士を結ぶ側壁と、からなると共に、それら壁面に囲まれた内側面には、帯状体と軸体が露出した状態で前記支持板を挿嵌するための差し込み空間を有することを特徴とする。
【発明の効果】
【０００８】
本発明のように、支持板を挿嵌可能な受け具を介してトンネル等の壁面に清掃具を固定できる構成であれば、取付け交換が非常に容易となり、利便性が高い。
【図面の簡単な説明】
【０００９】
【図１】本発明による清掃具の斜視図である。
【図２】（イ）、（ロ）図は、本発明による清掃具の受け具と、清掃具本体を示す斜視図である。
【図３】（イ）、（ロ）、（ハ）、（ニ）図は、本発明による清掃具の受け具を示す図であって、それぞれ、平面図、正面図、側面図、底面図である。
【発明を実施するための形態】
【００１０】
以下、この発明の実施の形態を図１から図３を参照して詳細に説明する。まず、本発明の清掃具は、図１に示すように、受け具１０と、清掃具本体４０によって構成されている。
【００１１】
清掃具本体４０は、図２に示すように、支持板４１と、帯状体４２と、軸体４３によって構成されている。そして、支持板４１は、帯状体４２を吊り下げるためのものであって、厚みが１ｍｍ以下の薄板状のものであることが望ましく、このことによって軽量化を図ることが望ましい。
【００１２】
そして、支持板４１は、帯状体４２と接する面に滑性を有していることが望ましく、アクリル板が好適である。アクリル板は、自己潤滑性に優れると共に、軽量化が図れることと、耐候性を有している。なお、ここで用いる耐候性とは、風雨、温度変化などに対し、変形、変色、劣化等の変質を起こしにくい性質をさす。また、厚さ１ｍｍ以下のアクリル板であれば、鋏などによっても簡単に切断可能であるため加工が容易であり、利便性が高い。
【００１３】
帯状体４２は、風圧を受けると、軸体４３を軸にして、揺動又は回転し、このときにトンネル内の壁面と擦れ合って、壁面に付着している汚れを拭き払うものである。この帯状体４２の長手方向の長さは通常６０ｃｍ程度であって、帯状体４２は、この長さを半径とした円形軌道を描きながら、揺動又は回転する。なお、この長手方向の長さはある程度は短いほうが、より揺動・回転し易くなる傾向があり、３０ｃｍ程度の長さのものが最も効率のよい清掃を行うことができる。また、帯状体４２の幅に関しては、数ｃｍ以内のものであることが望ましい。この程度であれば、たとえ帯状体４２がちぎれて飛散した場合でも自動車の運転手の視野を妨げたりすることはない。なお、図に示すような帯状体４２の生地は、トリコットと呼ばれる経方向に連続したループを形成することにより作成した、ほつれに強い生地が好適であるが、これに限定されるものではない。また、繊維の材質に関しても、天然繊維、再生繊維、合成繊維の種類等を特に限定したものではない。なお、帯状体４２は、本実施例では軸体４３によって支持板４１に軸支されているものであるが、その軸支されている部位、言い換えるならば、支持板４１と帯状体４２とが接する位置では、二重に折り畳まれていることが望ましい。このことにより、帯状体４２は、捻じれ難くすると共に、回転軸を安定させることができる。
【００１４】
そして、本発明の清掃具の軸体４３は、帯状体４２を軸支するものであればどのようなものであってもよく、例えば、一端部が支持板４１を貫通し、帯状体４２を軸支するものであってもよい。なお、その際の軸体４３は、タグピンと呼ばれる、両端部がＴ字状に形成された弾性変形可能な線状のピンであることが望ましい。タグピンであれば、通常はタグガンにより、打つことになるが、タグガンの針をつなげたいもの二つ（場合によっては二つ以上）に通して、タグガンの引き金を引くだけで、タグピンは針の先を通ってつなげたいもの同士を連結するため、清掃具の作成を簡略化できる。また、図に示すように、支持板４１の中央に軸体４３を立設して帯状体４２を貫通、軸支し、軸体４３と対となるピンキャップを外嵌するような構成でも問題ない。なお、帯状体４２を支持板４１に吊り下げる方法としては、上記のような軸体４３を用いた方法でもよいが、支持板４１に帯状体４２を直接固着したり、留め糸を介して吊り下げる方法でも問題なく、本発明の清掃具に軸体４３は必須の構成ではない。
【００１５】
そして、本発明の清掃具の受け具１０は、図３（イ）〜（二）に示すように、両面粘着テープ３０等によってトンネル等の壁面に密着固定される矩形状の後壁１３と、後壁１３よりも前方に配置される前壁１１と、後壁１３と前壁１１の下端部同士を結ぶ底壁１４と、後壁１３と前壁１１の左右両端部同士を結ぶ側壁１２と、からなる。そして、それら壁面に囲まれた内側面には、上方に開口し、且つ、清掃具本体４０の支持板４１を挿嵌可能な差し込み空間２０を有し、図１、２に示すように、受け具１０は清掃具本体４０の支持板４１よりも一回り大きなサイズを有する。
【００１６】
なお、受け具１０の素材としては、どんなものでも問題ないが、万が一、トンネル等の壁面から剥離しても安全が確保できる、言い換えるならば、剥離した際にも車や人などを傷つけにくいように、アクリル板等を素材とすることが望ましい。また、両面粘着テープ３０は、後壁１３をトンネル等の壁面に固着するものであればどんなものでもよいが、１ｍｍ以下の厚さであることと、防水性を有するものであることが望ましい。
【００１７】
そして、受け具１０の前壁１１は、本発明の清掃具の帯状体４２がスムーズに回転するように、凹字状をなしており、図１に示すように、清掃具本体４０の帯状体４２と軸体４３が受け具１０から露出する構成、言い換えるならば、差し込み空間２０に清掃具本体４０の支持板４１のみが収まる構成にすることにより、帯状体４２が揺動・回転しやすいものとなっている。なお、底壁１４は、汚れや水がたまらないように、孔を設けても問題ない。
【００１８】
なお、本発明の清掃具は、上記実施形態に限定されるものではなく、例えば、両面粘着テープ３０を用いることなく、後壁１３を接着剤等で壁面に直接固着させても問題はない。また、本発明の清掃具は、トンネル内の壁面の清掃に主に用いられるものであるが、家屋等の壁面や窓等の清掃に用いてもよい。
【符号の説明】
【００１９】
１０  受け具
１１  前壁
１２  側壁
１３  後壁
１４  底壁
２０  差し込み空間
３０  両面粘着テープ
４０  清掃具本体
４１  支持板
４２  帯状体
４３  軸体
【図１】
0006279462.tif 000002
【図２】
0006279462.tif 000003
【図３】
0006279462.tif 000004